(57)【要約】      （修正有）【課題】エバポレータに接続される冷媒配管の表面で結露した水をケース内で適宜に処理することが可能な自動車用空調装置を得る。【解決手段】ケース２Ｌ，２Ｕの側壁２Ｕａ内側に、冷媒配管５の表面で結露した水をケース２Ｕ内のフィルタ４より下流側の領域に導く導水路７を形成した。水をケ−ス２Ｌ，２Ｕ内のエバポレ−タに隣接する領域に導く導水路７を形成した。アッパケ−スの少なくとも導水路が形成される部分に内側フランジ部２Ｕｂを設けた。【選択図】図２
2008030522.tif 000002
【特許請求の範囲】
【請求項１】
空気通路内を流れる空気を濾過するフィルタ（４）と、当該フィルタ（４）の下流側に配置されるエバポレータ（３）と、当該エバポレータ（３）の側部に接続される冷媒配管（５）と、をケース（２Ｌ，２Ｕ）内に備える空調装置において、
前記ケース（２Ｌ，２Ｕ）の側壁（２Ｕａ）内側に、冷媒配管（５）の表面で結露した水をケース（２Ｕ）内のフィルタ（４）より下流側の領域に導く導水路（７）を形成したことを特徴とする自動車用空調装置。
【請求項２】
前記導水路（７）が水をケース（２Ｌ，２Ｕ）内のエバポレータ（３）に隣接する領域に導くように形成したことを特徴とする請求項１に記載の自動車用空調装置。
【請求項３】
前記ケース（２Ｌ，２Ｕ）は、下側のロワケース（２Ｌ）と上側のアッパケース（２Ｕ）とを備え、当該ロワケース（２Ｌ）およびアッパケース（２Ｕ）がそれらの開口縁部（２Ｕｃ，２Ｌｃ）同士を突き合わせた状態で一体化されており、
前記アッパケース（２Ｕ）の少なくとも前記導水路（７）が形成される部分に、当該アッパケース（２Ｕ）の開口縁部（２Ｕｃ）の上方位置から前記ロワケース（２Ｌ）の開口縁部（２Ｌｃ）よりケース内部側に張り出す内側フランジ部（２Ｕｂ）を設けたことを特徴とする請求項１または２に記載の自動車用空調装置。
【発明の詳細な説明】
【技術分野】
【０００１】
本発明は、自動車用空調装置に関する。
【背景技術】
【０００２】
従来、空気通路内を流れる空気を濾過するフィルタと、当該フィルタの下流側に配置されるエバポレータと、をケース内に備え、エバポレータに接続される冷媒配管をケース外に配索した自動車用空調装置が知られている（例えば、特許文献１）。
【０００３】
上記空調装置では、冷媒配管の内部の冷媒の温度は冷媒配管の周囲の外気の温度より低いため、当該冷媒配管の表面には結露が生じる。よって、特許文献１のように冷媒配管をケース外に配索する場合には、当該配管表面を断熱材で被覆する場合があるが、そうすると製造コストが増大してしまう。
【特許文献１】特開２００４−２４９９４４号公報
【発明の開示】
【発明が解決しようとする課題】
【０００４】
その対策として、冷媒配管をケース内に配索すれば、当該区間については断熱材を省略できると考えられる。しかし、多くの場合、エバポレータの比較的近い位置にはフィルタが配置されており、結露した水がフィルタに浸入すると、かび等による悪臭が生じる場合があった。
【０００５】
そこで、本発明は、エバポレータに接続される冷媒配管の表面で結露した水を、ケース内で適宜に処理することが可能な自動車用空調装置を得ることを目的とする。
【課題を解決するための手段】
【０００６】
請求項１の発明にあっては、空気通路内を流れる空気を濾過するフィルタ（４）と、当該フィルタ（４）の下流側に配置されるエバポレータ（３）と、当該エバポレータ（３）の側部に接続される冷媒配管（５）と、をケース（２Ｌ，２Ｕ）内に備える空調装置において、前記ケース（２Ｌ，２Ｕ）の側壁（２Ｕａ）内側に、冷媒配管（５）の表面で結露した水をケース（２Ｕ）内のフィルタ（４）より下流側の領域に導く導水路（７）を形成したことを特徴とする。
【０００７】
請求項２の発明にあっては、前記導水路（７）が水をケース（２Ｌ，２Ｕ）内のエバポレータ（３）に隣接する領域に導くように形成したことを特徴とする。
【０００８】
請求項３の発明にあっては、前記ケース（２Ｌ，２Ｕ）は、下側のロワケース（２Ｌ）と上側のアッパケース（２Ｕ）とを備え、当該ロワケース（２Ｌ）およびアッパケース（２Ｕ）がそれらの開口縁部（２Ｕｃ，２Ｌｃ）同士を突き合わせた状態で一体化されており、前記アッパケース（２Ｕ）の少なくとも前記導水路（７）が形成される部分に、当該アッパケース（２Ｕ）の開口縁部（２Ｕｃ）の上方位置から前記ロワケース（２Ｌ）の開口縁部（２Ｌｃ）よりケース内部側に張り出す内側フランジ部（２Ｕｂ）を設けたことを特徴とする。
【発明の効果】
【０００９】
請求項１の発明によれば、導水路によって、冷媒配管の表面で結露した水をケース内のフィルタより下流側の領域に導くことができるため、水がフィルタに浸入して悪臭が生じるのを抑制することができる。
【００１０】
請求項２の発明によれば、導水路によって、冷媒配管の表面で結露した水をケース内のエバポレータに隣接する領域まで導くことができ、エバポレータの下方位置に設けられるドレンパンを利用して水を回収することができ、結露した水の回収構造を別途設ける場合に比べて構成を簡素化することができる。
【００１１】
請求項３の発明によれば、水を内側フランジ部に伝わせることにより、ロワケースとアッパケースとの開口縁部同士の継ぎ目からの水漏れを抑制することができる。
【発明を実施するための最良の形態】
【００１２】
以下、本発明の実施形態について図面を参照しながら詳細に説明する。図１は、本実施形態にかかる空調装置の斜視図、図２は、本実施形態にかかる空調装置のケース内の一部を示す斜視図、図３は、図２のIII−III断面図である。なお、図２は、空気通路の内部側からケースの側壁内面を見た図であり、図２中左側が上流側、右側が下流側となる。
【００１３】
本実施形態にかかる空調装置１では、合成樹脂等からなるケース２Ｌ，２Ｕ内を隔壁等で適宜に区画することで空気通路が形成されており、当該空気通路の途中に設けた機能部品（フィルタ４，エバポレータ３，ヒータコア（図示せず）等）やスライドドア（図示せず）によって空気の清浄度や温度等の性状を調整するとともに、当該調整した空気の吹出口を各ドア（図示せず）によって変更できるようになっている。
【００１４】
ケース２Ｌ，２Ｕは、下側のロワケース２Ｌと上側のアッパケース２Ｕとを備えており、当該ロワケース２Ｌおよびアッパケース２Ｕがそれらの開口縁部２Ｕｃ，２Ｌｃ同士を突き合わせた状態で一体化されている。なお、本実施形態では、図３に示すように、アッパケース２Ｕの開口縁部２Ｕｃに形成した溝に、ロワケース２Ｌの開口縁部２Ｌｃの先端縁を嵌挿しているが、かかる構成には限定されない。
【００１５】
ブロワ（図示せず）から排出された空気は、空気通路に配置されたフィルタ４を経由することで濾過されて清浄化される。
【００１６】
また、フィルタ４の後段（下流側）には冷凍サイクルの一部を成すエバポレータ３が設けられており、空気を冷却できるようになっている。
【００１７】
ロワケース２Ｌのエバポレータ３の下方となる領域は、下方に向けて膨出形成されて、当該エバポレータ３から滴下した水を回収するドレンパン２Ｌａが形成されている。
【００１８】
エバポレータ３には冷媒配管５が接続されている。本実施形態では、冷媒配管５は、水平方向に相互に略平行に伸びる二本のパイプ部５ａ，５ａとコネクタ部５ｂとを備え、ケース２Ｌ，２Ｕ内で、具体的には、フィルタ４の側方でアッパケース２Ｕの側壁２Ｕａ内側に沿って配索されている。
【００１９】
冷媒配管５（パイプ部５ａ，コネクタ部５ｂ）の内部の冷媒の温度は外気より低く、当該冷媒配管５の表面には結露が生じる。この結露によって生じた水を所定経路で排出するために、本実施形態では、ケース２Ｌ，２Ｕの側壁２Ｕａ，２Ｌｂの内側に、導水路７が形成されている。
【００２０】
この導水路７は、側壁２Ｕａ，２Ｌｂの内壁面に沿って水を伝わせることで、フィルタ４とエバポレータ３との間の間隙（すなわち、ケース２Ｌ，２Ｕ内のフィルタ４より下流側でエバポレータ３の上流側に隣接する領域）６に水を導水するように形成されている。具体的には、図２に示すように、側壁２Ｕａの内面に、略Ｕ字状断面を有して間隙６に臨む集滴部（凹溝部）７ｅを形成し、この集滴部７ｅに向けて、フィルタ４の側方で空気通路の上流側（図２の左側）から下流側（同右側）に向けて斜め下方に傾斜する傾斜面７ａと、フィルタ４の側方で空気通路の側外方から内方に向けて斜め下方に傾斜する傾斜面７ｄと、エバポレータ３の側方で、空気通路の下流側から上流側に向けて湾曲しながら斜め下方に向かう湾曲面７ｂと、湾曲面７ｂの上流側端縁からほぼ垂直下方に向かう垂直面７ｃと、が形成されている。
【００２１】
ここで、アッパケース２Ｕの側壁２Ｕａの内面上には、間隙６の上流側および下流側となる位置で、上下方向に伸びる相互に平行なリブ７ｇ，７ｇを突設し、これらリブ７ｇ，７ｇと、それらリブ７ｇ，７ｇによって挟まれた側壁２Ｕａの内面７ｈとによって形成された溝状部分の上方に集滴部７ｅを配置することで、集滴部７ｅに集められた水が、この溝状部分を流下するようにしてある。なお、リブ７ｇは、エバポレータ３を支持する支持部としての機能も担っている。
【００２２】
また、本実施形態では、図２および図３に示すように、アッパケース２Ｕの少なくとも導水路７が形成される部分に、当該アッパケース２Ｕの開口縁部２Ｕｃの上方位置からロワケース２Ｌの開口縁部２Ｌｃよりケース内部側に離間して張り出すとともに開口縁部２Ｕｃ，２Ｌｃ同士の境界部分より下方位置まで伸びる内側フランジ部２Ｕｂを設け、流下した水が、開口縁部２Ｕｃ，２Ｌｃ同士の境界部分にかからないようにして、当該境界部分からケース外に漏出しないようにしてある。このため、本実施形態では、内側フランジ部２Ｕｂの内面のうち、上記溝状部分の底面をなす内面７ｆの直下方となる領域（内面）７ｈも導水路となる。この内面７ｈの下端縁から水は下方に落下し、エバポレータ３の下方に設けられたドレンパン２Ｌａ内に回収される。
【００２３】
以上の本実施形態によれば、導水路７によって、冷媒配管５の表面で結露した水をケース２Ｌ，２Ｕ内のフィルタ４より下流側の領域（間隙６）に導くようにしたため、水がフィルタ４に浸入して悪臭が生じるのを抑制することができる。
【００２４】
また、本実施形態によれば、導水路７によって、冷媒配管５の表面で結露した水をケース２Ｌ，２Ｕ内のエバポレータ３に隣接する領域まで導くようにしたため、エバポレータ３の下方に配設されるドレンパン２Ｌａを利用して水を回収することができ、結露した水の回収構造を別途設ける場合に比べてロワケース２Ｌの構成を簡素化することができる。
【００２５】
また、本実施形態によれば、アッパケース２Ｕの少なくとも導水路７が形成される部分に、アッパケース２Ｕの開口縁部２Ｕｃの上方位置からロワケース２Ｌの開口縁部２Ｌｃよりケース内部側に張り出す内側フランジ部２Ｕｂを設け、水を当該内側フランジ部２Ｕｂ（の内面７ｈ）に伝わせるようにしたため、ロワケース２Ｌとアッパケース２Ｕとの開口縁部２Ｕｃ，２Ｌｃ同士の継ぎ目からの水漏れを抑制することができる。
【００２６】
以上、本発明の好適な実施形態について説明したが、本発明は上記実施形態には限定されず、種々の変形が可能である。
【図面の簡単な説明】
【００２７】
【図１】本発明の一実施形態にかかる空調装置の斜視図。
【図２】本発明の一実施形態にかかる空調装置のケース内の一部を示す斜視図。
【図３】図２のIII−III断面図。
【符号の説明】
【００２８】
１  空調装置
２Ｌ  ロワケース（ケース）
２Ｌｃ  開口縁部
２Ｕ  アッパケース（ケース）
２Ｕａ  側壁
２Ｕｂ  内側フランジ部
２Ｕｃ  開口縁部
３  エバポレータ
４  フィルタ
５  冷媒配管
６  間隙（フィルタより下流側の領域；エバポレータに隣接する領域）
７  導水路
【図１】
2008030522.tif 000003
【図２】
2008030522.tif 000004
【図３】
2008030522.tif 000005